(57)【要約】【課題】本発明の課題は、手を汚さず衛生的に、被包装物に容易に流動物が塗布される被包装物入り包装体を提供することである。【解決手段】本発明に係る被包装物２００入り包装体１００は、被包装物２００と、包装体１００とを備える。この包装体１００は、被包装物２００を収納する。また、この包装体１００は、第１収納部１２０と、第２収納部１３０と、本体部１１０とを有する。第２収納部１３０は、第１収納部１２０と孔１５１を通じて連通する。本体部１１０は、第１収納部１２０および第２収納部１３０を覆う。第１収納部１２０は、被包装物２００の特定部位２１０を収納する。第２収納部１３０は、流動物３００および被包装物２００の一部を収納する。孔１５１は、被包装物２００で密閉される。被包装物２００の一部は、第１収納部１２０が連通している側と反対側から第２収納部１３０の外に出されている。【選択図】図２
2012240681.tif 000002
【特許請求の範囲】
【請求項１】
被包装物と、
前記被包装物を収納する包装体とを備え、
前記包装体は、第１収納部と、前記第１収納部と孔を通じて連通する第２収納部と、前記第１収納部および前記第２収納部を覆う本体部とを有し、
前記第１収納部は、前記被包装物の特定部位を収納し、
前記第２収納部は、流動物および前記被包装物の一部を収納し、
前記孔は、前記被包装物で密閉され、
前記被包装物の一部は、前記第１収納部が連通している側と反対側から前記第２収納部の外に出されている被包装物入り包装体。
【請求項２】
前記第２収納部は、多孔質弾性体を有する請求項１に記載の被包装物入り包装体。
【請求項３】
被包装物と、
前記被包装物を収納する包装体とを備え、
前記包装体は、第１収納部と、前記第１収納部に隣接する第２収納部と、前記第１収納部および前記第２収納部を覆う本体部とを有し、
前記本体部は、フレキシブルな素材から成り、
前記第１収納部は、前記被包装物の特定部位を収納し、
前記第２収納部は、流動物を収納し、
前記第１収納部と前記第２収納部とは、前記本体部をねじることで隔てられる被包装物入り包装体。
【請求項４】
被包装物と、
前記被包装物を収納する包装体とを備え、
前記包装体は、第１収納部と、前記第１収納部に隣接する第２収納部と、前記第１収納部および前記第２収納部を覆う本体部とを有し、
前記本体部は、フレキシブルな素材から成り、
前記第１収納部は、前記被包装物の特定部位を収納し、
前記第２収納部は、流動物を収納し、
前記第１収納部と前記第２収納部とは、前記本体部を折り畳むことで隔てられる被包装物入り包装体。
【請求項５】
被包装物と、
前記被包装物を収納する包装体と、
前記包装体を挟む挟持部材とを備え、
前記包装体は、第１収納部と、前記第１収納部に隣接する第２収納部と、前記第１収納部および前記第２収納部を覆う本体部とを有し、
前記本体部は、フレキシブルな素材から成り、
前記第１収納部は、前記被包装物の特定部位を収納し、
前記第２収納部は、流動物を収納し、
前記第１収納部と前記第２収納部とは、前記本体部を前記挟持部材で挟むことで隔てられる被包装物入り包装体。
【請求項６】
前記本体部は、前記被包装物の一部を覆う覆い部を有し、
前記覆い部は、前記被包装物を前記包装体から取り出すとき、前記本体部から分離される請求項１〜５のいずれか一項に記載の被包装物入り包装体。
【請求項７】
筒形状の本体部と、
前記本体部の内面から内部に向かって延びる壁部とを備え、
前記壁部は、孔を有する包装体。
【請求項８】
多孔質弾性体をさらに備える請求項７に記載の包装体。
【請求項９】
被包装物と、本体部を有する包装体とを準備する準備工程と、
フレキシブルな素材から成る前記本体部に、流動物を収納する流動物収納工程と、
前記本体部をねじり、前記流動物を収納していない第１収納部と、前記流動物を収納した第２収納部とを隔てるねじり工程と、
前記第１収納部に被包装物を収納する被包装物収納工程とを備える被包装物の包装方法。
【請求項１０】
被包装物と、本体部を有する包装体とを準備する準備工程と、
フレキシブルな素材から成る前記本体部に、流動物を収納する流動物収納工程と、
前記本体部を折り畳み、前記流動物を収納していない第１収納部と、前記流動物を収納した第２収納部とを隔てる折り畳み工程と、
前記第１収納部に被包装物を収納する被包装物収納工程とを備える被包装物の包装方法。
【請求項１１】
被包装物と、本体部を有する包装体と、前記本体部を挟む挟持部材とを準備する準備工程と、
フレキシブルな素材から成る前記本体部に、流動物を収納する流動物収納工程と、
前記本体部を前記挟持部材で挟み、前記流動物を収納していない第１収納部と、前記流動物を収納した第２収納部とを隔てる挟持工程と、
前記第１収納部に被包装物を収納する被包装物収納工程とを備える被包装物の包装方法。
【発明の詳細な説明】
【技術分野】
【０００１】
本発明は、被包装物入り包装体、および包装体に関する。
【背景技術】
【０００２】
従来から、流動物と被包装物とを接触させずに一緒に収納することのできる包装体が知られている。例えば、特許文献１には、流動物と被包装物とを隔てる仕切りを備える包装体が開示されている。包装体の所定の箇所に外力が加えられることで、仕切りが破断され、被包装物の特定部位に流動物が塗布される。そのため、この包装体は、被包装物の特定部位に、手を汚さず衛生的に流動物を塗布することができる。
【先行技術文献】
【特許文献】
【０００３】
【特許文献１】特開２００４−２０３４８４号公報
【発明の概要】
【発明が解決しようとする課題】
【０００４】
しかし、この包装体では、仕切りを破断する際に強い力が必要となる場合がある。そのため、老人または子供などの力の弱いユーザは、被包装物の特定部位に容易に流動物を塗布することができないおそれがある。
【０００５】
本発明の課題は、手を汚さず衛生的に、被包装物に容易に流動物が塗布される被包装物入り包装体を提供することである。
【課題を解決するための手段】
【０００６】
（１）
本発明に係る被包装物入り包装体は、被包装物と、包装体とを備える。包装体は、被包装物を収納する。包装体は、第１収納部と、第２収納部と、本体部とを有する。第２収納部は、第１収納部と孔を通じて連通する。本体部は、第１収納部および第２収納部を覆う。第１収納部は、被包装物の特定部位を収納する。第２収納部は、流動物および被包装物の一部を収納する。孔は、被包装物で密閉される。被包装物の一部は、第１収納部が連通している側と反対側から第２収納部の外に出されている。
【０００７】
被包装物の第２収納部の外に出されている部分が引っ張られて、被包装物が包装体から取り出される。そして、被包装物の特定部位が、第２収納部を通過するとき、被包装物の特定部位には、取り出しと同時に流動物が塗布される。そのため、被包装物入り包装体では、力の弱いユーザであっても、手を汚さず衛生的に、被包装物に容易に流動物が塗布される。
【０００８】
（２）
上述（１）の被包装物入り包装体では、第２収納部は、多孔質弾性体を有することが好ましい。
【０００９】
多孔質弾性体は、流動物を吸収すると共に、流動物を吸収した状態を維持する。そのため、多孔質弾性体は、第２収納部から流動物を漏れにくくする。
【００１０】
（３）
本発明に係る被包装物入り包装体は、被包装物と、包装体とを備える。包装体は、被包装物を収納する。包装体は、第１収納部と、第２収納部と、本体部とを有する。第２収納部は、第１収納部に隣接する。本体部は、第１収納部および第２収納部を覆う。また、本体部は、フレキシブルな素材から成る。第１収納部は、被包装物の特定部位を収納する。第２収納部は、流動物を収納する。第１収納部と第２収納部とは、本体部をねじることで隔てられる。
【００１１】
包装体から被包装物が取り出されるとき、本体部のねじりが解かれることで、第１収納部と第２収納部との隔たりがなくなる。そして、被包装物の特定部位が、第２収納部にいったん押し込まれてから取り出される。それにより、被包装物の特定部位には、流動物が塗布される。そのため、被包装物入り包装体では、力の弱いユーザであっても、手を汚さず衛生的に、被包装物に容易に流動物が塗布される。
【００１２】
（４）
本発明に係る被包装物入り包装体は、被包装物と、包装体とを備える。包装体は、被包装物を収納する。包装体は、第１収納部と、第２収納部と、本体部とを有する。第２収納部は、第１収納部に隣接する。本体部は、第１収納部および第２収納部を覆う。また、本体部は、フレキシブルな素材から成る。第１収納部は、被包装物の特定部位を収納する。第２収納部は、流動物を収納する。第１収納部と第２収納部とは、本体部を折り畳むことで隔てられる。
【００１３】
包装体から被包装物が取り出されるとき、本体部の折り畳みが開かれることで、第１収納部と第２収納部との隔たりがなくなる。そして、被包装物の特定部位が、第２収納部にいったん押し込まれてから取り出される。それにより、被包装物の特定部位には、流動物が塗布される。そのため、被包装物入り包装体では、力の弱いユーザであっても、手を汚さず衛生的に、被包装物に容易に流動物が塗布される。
【００１４】
（５）
本発明に係る被包装物入り包装体は、被包装物と、包装体とを備える。包装体は、被包装物を収納する。包装体は、第１収納部と、第２収納部と、本体部とを有する。第２収納部は、第１収納部に隣接する。本体部は、第１収納部および第２収納部を覆う。また、本体部は、フレキシブルな素材から成る。第１収納部は、被包装物の特定部位を収納する。第２収納部は、流動物を収納する。第１収納部と第２収納部とは、本体部を挟持部材で挟むことで隔てられる。
【００１５】
包装体から被包装物が取り出されるとき、本体部から挟持部材が外されることで、第１収納部と第２収納部との隔たりがなくなる。そして、被包装物の特定部位が、第２収納部にいったん押し込まれてから取り出される。それにより、被包装物の特定部位には、流動物が塗布される。そのため、被包装物入り包装体では、力の弱いユーザであっても、手を汚さず衛生的に、被包装物に容易に流動物が塗布される。
【００１６】
（６）
上述（１）〜（５）のいずれかの被包装物入り包装体では、本体部は、覆い部を有することが好ましい。覆い部は、被包装物の一部を覆う。また、覆い部は、被包装物を包装体から取り出すとき、本体部から分離される。
【００１７】
被包装物を包装体から取り出すとき、ユーザは、本体部から分離された覆い部を介して被包装物を持つことができる。そのため、ユーザは、被包装物に直接触れないので、手を汚すことなく被包装物を取り扱うことができる。
【００１８】
（７）
本発明に係る包装体は、筒形状の本体部と、壁部とを備える。壁部は、本体部の内面から内部に向かって延びる。また、壁部は、孔を有する。
【００１９】
包装体に被包装物および流動物を所定の箇所に収納したとき、孔は被包装物で密閉される。そのため、壁部は、被包装物の特定部位と流動物とを接触させずに１つの包装体で保管することができる。
【００２０】
被包装物が包装体から取り出されるとき、被包装物の特定部位が、流動物が収納された所定の箇所を通過する。そのため、被包装物の特定部位には、取り出しと同時に流動物が塗布される。そのため、包装体では、力の弱いユーザであっても、手を汚さず衛生的に、被包装物に容易に流動物が塗布される。
【００２１】
（８）
上述（７）の包装体は、多孔質弾性体をさらに備えることが好ましい。
【００２２】
包装体に被包装物および流動物を所定の箇所に収納したとき、多孔質弾性体は、流動物を吸収すると共に、流動物を吸収した状態を維持する。そのため、多孔質弾性体は、所定の箇所から流動物を漏れにくくする。
【００２３】
（９）
本発明に係る被包装物の包装方法は、準備工程と、流動物収納工程と、ねじり工程と、被包装物収納工程とを備える。準備工程では、被包装物と、包装体とが準備される。包装体は、本体部を有する。流動物収納工程では、本体部に流動物が収納される。本体部は、フレキシブルな素材から成る。ねじり工程では、本体部がねじられ、第１収納部と第２収納部とが隔てられる。第１収納部には、流動物が収納されていない。第２収納部には、流動物が収納されている。被包装物収納工程では、第１収納部に被包装物が収納される。
【００２４】
包装体から被包装物が取り出されるとき、本体部のねじりが解かれることで、第１収納部と第２収納部との隔たりがなくなる。そして、被包装物の特定部位が、第２収納部にいったん押し込まれてから取り出される。それにより、被包装物の特定部位には、流動物が塗布される。そのため、この被包装物の包装方法によって、力の弱いユーザであっても、手を汚さず衛生的に、被包装物に容易に流動物が塗布される。
【００２５】
（１０）
本発明に係る被包装物の包装方法は、準備工程と、流動物収納工程と、折り畳み工程と、被包装物収納工程とを備える。準備工程では、被包装物と、包装体とが準備される。包装体は、本体部を有する。流動物収納工程では、本体部に流動物が収納される。本体部は、フレキシブルな素材から成る。折り畳み工程では、本体部が折り畳まれ、第１収納部と第２収納部とが隔てられる。第１収納部には、流動物が収納されていない。第２収納部には、流動物が収納されている。被包装物収納工程では、第１収納部に被包装物が収納される。
【００２６】
包装体から被包装物が取り出されるとき、本体部の折り畳みが開かれることで、第１収納部と第２収納部との隔たりがなくなる。そして、被包装物の特定部位が、第２収納部にいったん押し込まれてから取り出される。それにより、被包装物の特定部位には、流動物が塗布される。そのため、この被包装物の包装方法によって、力の弱いユーザであっても、手を汚さず衛生的に、被包装物に容易に流動物が塗布される。
【００２７】
（１１）
本発明に係る被包装物の包装方法は、準備工程と、流動物収納工程と、挟持工程と、被包装物収納工程とを備える。準備工程では、被包装物と、包装体と、挟持部材とが準備される。包装体は、本体部を有する。挟持部材は、本体部を挟む。流動物収納工程では、本体部に流動物が収納される。本体部は、フレキシブルな素材から成る。挟持工程では、本体部が挟持部材で挟まれ、第１収納部と第２収納部とが隔てられる。第１収納部には、流動物が収納されていない。第２収納部には、流動物が収納されている。被包装物収納工程では、第１収納部に被包装物が収納される。
【００２８】
包装体から被包装物が取り出されるとき、本体部から挟持部材が外されることで、第１収納部と第２収納部との隔たりがなくなる。そして、被包装物の特定部位が、第２収納部にいったん押し込まれてから取り出される。それにより、被包装物の特定部位には、流動物が塗布される。そのため、この被包装物の包装方法によって、力の弱いユーザであっても、手を汚さず衛生的に、被包装物に容易に流動物が塗布される。
【発明の効果】
【００２９】
本発明に係る被包装物入り包装体は、手を汚さず衛生的に、被包装物に容易に流動物が塗布される。
【図面の簡単な説明】
【００３０】
【図１】本発明の第１実施形態に係る被包装物入り包装体の平面図である。
【図２】図１に示した被包装物入り包装体のＡ−Ａ線断面図である。
【図３】本発明の第２実施形態に係る被包装物入り包装体の平面図である。
【図４】図３に示した被包装物入り包装体のＢ−Ｂ線断面図である。
【図５】本発明の第２実施形態の変形例（Ａ）に係る被包装物入り包装体の平面図である。
【図６】図５に示した被包装物入り包装体のＣ−Ｃ線断面図である。
【図７】本発明の第２実施形態の変形例（Ｂ）に係る被包装物入り包装体の平面図である。
【図８】図７に示した被包装物入り包装体のＤ−Ｄ線断面図である。
【発明を実施するための形態】
【００３１】
−第１実施形態−
図１に示されるように、本発明の第１実施形態に係る包装体１００は、被包装物２００と流動物３００とを収納する。
【００３２】
被包装物２００は、流動物３００が塗布される特定部位２１０と、特定部位２１０を保持する保持部２２０とを有する。具体的に、被包装物２００は、例えば、シリコーン樹脂製または熱可塑性エラストマー製（スチレン系、塩化ビニル系、オレフィン系、ウレタン系、ポリエステル系など）等のチューブ体である鼻腔挿入デバイス等である。被包装物２００が鼻腔挿入デバイスであるとき、特定部位２１０は、円管形状である保持部２２０の先端に設けられる拡張部であり、流動物３００は、特定部位２１０に塗布される潤滑剤である。
【００３３】
包装体１００は、筒形状の本体部１１０と、第１収納部１２０と、第２収納部１３０と、第３収納部１４０と、第１の孔１５１を有する第１壁部１５０と、第２の孔１６１を有する第２壁部１６０とを備える。第１収納部１２０、第２収納部１３０、第３収納部１４０は、この順に並べて配置され、本体部１１０で覆われている。なお、包装体１００では、第１収納部１２０と第２収納部１３０との間、または第２収納部と第３収納部との間などに、さらに別の収納部が設けられてもよい。また、包装体１００では、第３収納部１３０が省略されてもよい。第３収納部１３０が省略される場合、被包装物２００の保持部２２０の一部は、包装体１００で包装されず、包装体１００の外部に露出する。
【００３４】
第１壁部１５０は、本体部１１０の内面から内部に向かって延び、第１収納部１２０と第２収納部１３０とを隔てる。第２壁部１６０は、本体部１１０の内面から内部に向かって延び、第２収納部１３０と第３収納部１４０とを隔てる。
【００３５】
本体部１１０の材料として、特に限定されないが、後述する覆い部１１１を本体部１１０から分離させる観点から、フレキシブルな材料が好ましい。フレキシブルな材料として、例えば、ポリエチレン、ポリプロピレン、ポりエチレンテレフタラート、ポリテトラフルオルエチレン等の合成樹脂などが用いられる。なお、本発明の主旨を損なわない範囲で、本体部１１０の一部または全部は、上記のフレキシブルな材料より硬い材料から成るものであってもよい。
【００３６】
本体部１１０は、覆い部１１１と、切れ込み１１２と、被包装物２００を収納するための開口部（図示せず）とを有する。この開口部は、被包装物２００および流動物３００が収納された状態で封止される。覆い部１１１は、第３収納部１４０に収納された被包装物２００の一部である保持部２２０を覆う。この覆い部１１１は、引っ張られると切れ込み１１２から切れて、本体部１１０から分離する。
【００３７】
切れ込み１１２は、例えば、本体部１１０の外周面を１周するようにして、１ｍｍの長さで、１ｍｍの間隔ごとに形成される。この切れ込み１１２は、流動物３００および被包装物２００が密閉して保管されるよう、本体部１１０を貫通せずに形成される。なお、流動物３００および被包装物２００が密閉して保管する必要のないものであるとき、切れ込み１１２は、本体部１１０を貫通して形成されてもよい。
【００３８】
第１収納部１２０は、被包装物２００の特定部位２１０を収納する。第２収納部１３０は、流動物３００および被包装物２００の一部である保持部２２０を収納する。この第２収納部１３０は、第１収納部１２０と、第１壁部１５０の第１の孔１５１を通じて連通する。そして、この第１の孔１５１は、被包装物２００の保持部２２０で密閉される。
【００３９】
流動物３００は、被包装物２００の特定部位２１０に容易に塗布することができるのであれば、第２収納部１３０の全部に充填されていてもよいし、一部に充填されていてもよい。第２収納部１３０への流動物３００の充填は、例えば、本体部１１０の第２収納部１３０を覆う箇所に注入口を設け、この注入口から流動物３００を注入する等して行う。また、流動物３００の注入後、注入口は封止される。
【００４０】
第３収納部１４０は、第２収納部１３０と、第２壁部１６０の第２の孔１６１を通じて連通する。この第２の孔１６１は、被包装物２００の保持部２２０で密閉されていてもよいし、密閉されていなくてもよい。第２の孔１６１が保持部２２０で密閉されていない場合、流動物３００が流れ出ることを防止する観点から、第２の孔１６１は保持部２２０と同程度の大きさであることが好ましい。なお、流動物３００が容易に第２収納室から流れ出ない粘度を持つ場合、第２の孔１６１が保持部２２０より大きくされてもよいし、第２壁部１６０および第２の孔１６１が形成されなくてもよい。
【００４１】
第３収納部１４０は、被包装物２００の一部である保持部２２０を収納する。第３収納部１４０に収納される保持部２２０は、第１収納部１２０が連通している側と反対側から第２収納部１３０の外に出されているものである。
【００４２】
第１壁部１５０および第２壁部１６０の材料として、特に限定されないが、孔１５１，１６１と保持部２２０との密閉性を向上させる観点から、弾性を有する材料が好ましい。弾性を有する材料として、例えば、イソプレンゴムまたはシリコーンゴム等の合成ゴム、天然ゴム、熱可塑性エラストマー等が用いられる。
【００４３】
＜被包装物の取り出し方法＞
ユーザは、覆い部１１１を介して保持部２２０を摘んで引っ張り、覆い部１１１を本体部１１０から分離させる。次に、ユーザは、特定部位２１０を第１収納室１２０、第２収納室１３０、第３収納室１４０の順に移動させ、被包装物２００を包装体１００から取り出す。なお、本体部１１０に覆い部１１１および切れ込み１１２が設けられていない場合には、本体部１１０の第３収納部１４０を覆う箇所をハサミ等で切って、被包装物２００を取り出すための開口部を作製してもよい。
【００４４】
特定部位２１０が第２収納部１３０を通過するとき、特定部位２１０には、取り出しと同時に流動物３００が塗布される。なお、ユーザは、特定部位２１０が第２収納部１３０を通過するとき、本体部１１０の第２収納部１３０を覆う箇所を押すことで、特定部位２１０にしっかりと流動物３００を塗布させてもよい。
【００４５】
＜本実施形態における効果＞
被包装物２００の第２収納部１３０の外に出されている部分が引っ張られて、被包装物２００が包装体１００から取り出される。そして、被包装物２００の特定部位２１０が、第２収納部１３０を通過するとき、被包装物２００の特定部位２１０には、取り出しと同時に流動物３００が塗布される。そのため、被包装物２００入り包装体１００では、力の弱いユーザであっても、手を汚さず衛生的に、被包装物２００に容易に流動物３００が塗布される。
【００４６】
被包装物２００を包装体１００から取り出すとき、ユーザは、本体部１１０から分離された覆い部１１１を介して被包装物２００を持つことができる。そのため、ユーザは、被包装物２００に直接触れないので、手を汚すことなく被包装物２００を取り扱うことができる。
【００４７】
＜変形例＞
（Ａ）
第２収納部１３０は、スポンジ等の多孔質弾性体を有してもよい。この多孔質弾性体は、流動物３００が第２収納部１３０から流れ出るのを防止するためのものであり、第２収納部１３０の全体に配置されてもよいし、一部に配置されてもよい。また、多孔質弾性体を有する包装体１００は、第１壁部１５０および第２壁部１６０の少なくとも一方を省略してもよい。
【００４８】
＜本実施形態の変形例における効果＞
多孔質弾性体は、流動物３００を吸収すると共に、流動物３００を吸収した状態を維持する。そのため、多孔質弾性体は、第２収納部１３０から流動物３００を漏れにくくする。
【００４９】
−第２実施形態−
図３、４に示されるように、本発明の第２実施形態に係る抜け包装体１００ａは、上記の第１実施形態に係る包装体１００と異なり、第３収納部１４０および壁部１５０，１６０を有しておらず、第１収納部１２０ａと第２収納部１３０ａとを隔てるねじり部１７０をさらに備える。なお、第２実施形態に係る包装体１００ａと、上記の第１実施形態に係る包装体１００とで共通する構成については、適宜その説明を省略する。
【００５０】
包装体１００ａは、袋状の本体部１１０ａと、第１収納部１２０ａと、第２収納部１３０ａとを備える。本体部１１０ａは、覆い部１１１と、切れ込み１１２と、被包装物２００を収納するための開口部（図示せず）とを有する。この開口部は、被包装物２００および流動物３００が収納された状態で封止される。本体部１１０ａの材料として、フレキシブルな材料、例えば、ポリエチレン、ポリプロピレン、ポりエチレンテレフタラート、ポリテトラフルオルエチレン等の合成樹脂などが用いられる。第１収納部１２０ａ、第２収納部１３０ａは、この順に並べて配置され、本体部１１０ａで覆われている。第２収納部１３０ａは、ねじり部１７０を介して第１収納部１２０ａに隣接する。
【００５１】
第１収納部１２０ａは、被包装物２００を収納する。このとき、被包装物２００は、流動物３００の塗布のしやすさの観点から、特定部位２１０が第２収納部１３０ａ側に向くようにして配置される。第２収納部１３０ａは、流動物３００を収納する。
【００５２】
＜被包装物の包装方法＞
まず、ユーザは、被包装物２００と、本体部１１０ａを有する包装体１００ａとを準備する。ユーザは、フレキシブルな素材から成る袋状の本体部１１０ａに、流動物３００を収納する。このとき、流動物３００は、本体部１１０ａの開口部から注がれる。
【００５３】
次に、ユーザは、本体部１１０ａをねじることで、ねじり部１７０を設ける。ねじり部１７０は、流動物３００を収納していない第１収納部１２０ａと、流動物３００を収納した第２収納部１３０ａとを隔てる。そして、ユーザは、第１収納部１２０ａに被包装物２００を収納し、本体部１１０ａの開口部を封止する。
【００５４】
＜被包装物の取り出し方法＞
まず、ねじり部１７０のねじりが解かれることで、第１収納部１２０ａと第２収納部１３０ａとの隔たりがなくなる。ユーザは、被包装物２００の特定部位２１０を第２収納部１３０ａに押し込み、特定部位２１０に流動物３００を塗布する。次に、ユーザは、覆い部１１１を介して保持部２２０を摘んで引っ張り、覆い部１１１を本体部１１０ａから分離させた後、被包装物２００を包装体１００ａから取り出す。
【００５５】
＜本実施形態における効果＞
包装体１００ａから被包装物２００が取り出されるとき、本体部１１０ａのねじりが解かれることで、第１収納部１２０ａと第２収納部１３０ａとの隔たりがなくなる。そして、被包装物２００の特定部位２１０が、第２収納部１３０ａにいったん押し込まれてから取り出される。それにより、被包装物２００の特定部位２１０には、流動物３００が塗布される。そのため、被包装物２００入り包装体１００ａでは、力の弱いユーザであっても、手を汚さず衛生的に、被包装物２００に容易に流動物３００が塗布される。
【００５６】
＜変形例＞
（Ａ）
図５、６に示されるように、包装体１００ｂは、ねじり部１７０に代えて、折り畳み部１８０を有していてもよい。
【００５７】
包装体１００ｂは、袋状の本体部１１０ｂと、第１収納部１２０ｂと、第２収納部１３０ｂとを備える。第１収納部１２０ｂ、第２収納部１３０ｂは、この順に並べて配置され、本体部１１０ｂで覆われている。第２収納部１３０ｂは、折り畳み部１８０を介して第１収納部１２０ｂに隣接する。
【００５８】
＜被包装物の包装方法＞
まず、ユーザは、被包装物２００と、本体部１１０ｂを有する包装体１００ｂとを準備する。ユーザは、フレキシブルな素材から成る袋状の本体部１１０ｂに、流動物３００を収納する。このとき、流動物３００は、本体部１１０ｂの開口部から注がれる。
【００５９】
次に、ユーザは、本体部１１０ｂを少なくとも１回以上折り畳むことで、折り畳み部１８０を設ける。折り畳み部１８０は、流動物３００を収納していない第１収納部１２０ｂと、流動物３００を収納した第２収納部１３０ｂとを隔てる。そして、ユーザは、第１収納部１２０ｂに被包装物２００を収納し、本体部１１０ｂの開口部を封止する。
【００６０】
＜被包装物の取り出し方法＞
まず、折り畳み部１８０の折り畳みが開かれることで、第１収納部１２０ｂと第２収納部１３０ｂとの隔たりがなくなる。ユーザは、被包装物２００の特定部位２１０を第２収納部１３０ｂに押し込み、特定部位２１０に流動物３００を塗布する。次に、ユーザは、覆い部１１１を介して保持部２２０を摘んで引っ張り、覆い部１１１を本体部１１０ｂから分離させた後、被包装物２００を包装体１００ｂから取り出す。
【００６１】
＜本実施形態の変形例における効果＞
包装体１００ｂから被包装物２００が取り出されるとき、本体部１１０ｂの折り畳みが開かれることで、第１収納部１２０ｂと第２収納部１３０ｂとの隔たりがなくなる。そして、被包装物２００の特定部位２１０が、第２収納部１３０ｂにいったん押し込まれてから取り出される。それにより、被包装物２００の特定部位２１０には、流動物３００が塗布される。そのため、被包装物２００入り包装体１００ｂでは、力の弱いユーザであっても、手を汚さず衛生的に、被包装物２００に容易に流動物３００が塗布される。
【００６２】
（Ｂ）
図７、８に示されるように、包装体１００ｃは、ねじり部１７０に代えて挟持部材１９０を有していてもよい。挟持部材１９０は、例えば、本体部１１０を隙間なく挟むことのできるクリップ等である。
【００６３】
包装体１００ｃは、袋状の本体部１１０ｃと、第１収納部１２０ｃと、第２収納部１３０ｃとを備える。第１収納部１２０ｃ、第２収納部１３０ｃは、この順に並べて配置され、本体部１１０ｃで覆われている。第２収納部１３０ｃは、挟持部材１９０を介して第１収納部１２０ｃに隣接する。
【００６４】
＜被包装物の包装方法＞
まず、ユーザは、被包装物２００と、本体部１１０ｃを有する包装体１００ｃとを準備する。ユーザは、フレキシブルな素材から成る袋状の本体部１１０ｃに、流動物３００を収納する。このとき、流動物３００は、本体部１１０ｂの開口部から注がれる。
【００６５】
次に、ユーザは、本体部１１０ｃを挟持部材１９０で挟む。挟持部材１９０は、流動物３００を収納していない第１収納部１２０ｃと、流動物３００を収納した第２収納部１３０ｃとを隔てる。そして、ユーザは、第１収納部１２０ｃに被包装物２００を収納し、本体部１１０ｃの開口部を封止する。
【００６６】
＜被包装物の取り出し方法＞
まず、本体部１１０ｃから挟持部材１９０が外されることで、第１収納部１２０ｃと第２収納部１３０ｃとの隔たりがなくなる。ユーザは、被包装物２００の特定部位２１０を第２収納部１３０ｃに押し込み、特定部位２１０に流動物３００を塗布する。次に、ユーザは、覆い部１１１を介して保持部２２０を摘んで引っ張り、覆い部１１１を本体部１１０ｃから分離させた後、被包装物２００を包装体１００から取り出す。
【００６７】
＜本実施形態の変形例における効果＞
包装体１００ｃから被包装物２００が取り出されるとき、本体部１１０ｃから挟持部材１９０が外されることで、第１収納部１２０ｃと第２収納部１３０ｃとの隔たりがなくなる。そして、被包装物２００の特定部位２１０が、第２収納部１３０ｃにいったん押し込まれてから取り出される。それにより、被包装物２００の特定部位２１０には、流動物３００が塗布される。そのため、被包装物２００入り包装体１００ｃでは、力の弱いユーザであっても、手を汚さず衛生的に、被包装物２００に容易に流動物３００が塗布される。
【００６８】
包装体１００ｃから被包装物２００が取り出されるとき、本体部１１０ｃから挟持部材１９０が外されることで、第１収納部１２０ｃと第２収納部１３０ｃとの隔たりがなくなる。そして、被包装物２００の特定部位２１０が、第２収納部１３０ｃにいったん押し込まれてから取り出される。それにより、被包装物２００の特定部位２１０には、流動物３００が塗布される。そのため、この被包装物２００の包装方法によって、力の弱いユーザであっても被包装物２００に容易に流動物３００が塗布される。
【符号の説明】
【００６９】
１００，１００ａ，１００ｂ，１００ｃ      包装体
１１０，１１０ａ，１１０ｂ，１１０ｃ      本体部
１１１      覆い部
１２０，１２０ａ，１２０ｂ，１２０ｃ      第１収納部
１３０，１３０ａ，１３０ｂ，１３０ｃ      第２収納部
１５０      第１壁部（壁部）
１５１      第１の孔（孔）
１９０      挟持部材
２００      被包装物
２１０      特定部位
３００      流動物
【図１】
2012240681.tif 000003
【図２】
2012240681.tif 000004
【図３】
2012240681.tif 000005
【図４】
2012240681.tif 000006
【図５】
2012240681.tif 000007
【図６】
2012240681.tif 000008
【図７】
2012240681.tif 000009
【図８】
2012240681.tif 000010